(57)【要約】【課題】ゲートウェイ装置を提供する。【解決手段】複数のセンサーに結合され、第１無線伝送の形態によって前記センサーがトリガーされる時に生成した複数の第１信号を受信する第１通信ユニットと、前記第１通信ユニットに結合され、且つ前記第１信号及び前記センサーを配置するための前記センサーに関連する配置データに基づいて複数の第２信号を生成する制御ユニットと、前記制御ユニット及びセキュリティホストに結合される第２通信ユニットと、を備え、前記センサーの状態を集中監視するために、前記制御ユニットは、前記第２通信ユニットによって前記第２信号を前記セキュリティホストに伝送するゲートウェイ装置。【選択図】図１
2018207465.tif 000002
【特許請求の範囲】
【請求項１】
複数のセンサーに結合され、第１無線伝送の形態によって前記センサーがトリガーされる時に生成した複数の第１信号を受信する第１通信ユニットと、
前記第１通信ユニットに結合され、且つ前記第１信号及び前記センサーを配置するための前記センサーに関連する配置データに基づいて複数の第２信号を生成する制御ユニットと、
前記制御ユニット及びセキュリティホストに結合される第２通信ユニットと、
を備え、
前記センサーの状態を集中監視するために、前記制御ユニットは、前記第２通信ユニットによって前記第２信号を前記セキュリティホストに伝送するゲートウェイ装置。
【請求項２】
前記第１無線伝送の形態は、Ｚｉｇｂｅｅ通信プロトコルを含む請求項１に記載のゲートウェイ装置。
【請求項３】
前記配置データは、前記センサーが設置された複数の領域を反映するための第１情報、又は前記センサーの複数の種類を反映するための第２情報を含む請求項１又は２に記載のゲートウェイ装置。
【請求項４】
前記第１通信ユニットは、更に、制御信号を受信するために、第２無線伝送の形態によってモバイルデバイスに結合されることに用いられ、且つ前記制御ユニットは、更に、前記制御信号に基づいて前記配置データを設定することに用いられる請求項１〜３の何れか１項に記載のゲートウェイ装置。
【請求項５】
前記第２無線伝送の形態は、Ｗｉ−Ｆｉ通信プロトコルである請求項４に記載のゲートウェイ装置。
【請求項６】
前記第２通信ユニットは、有線伝送の形態によって前記セキュリティホストに接続される請求項１〜５の何れか１項に記載のゲートウェイ装置。
【請求項７】
前記制御ユニットに結合され、且つ前記センサーの状態を監視するために、前記第２信号に基づいて監視メッセージを表示するための表示ユニットを更に備える請求項１〜６の何れか１項に記載のゲートウェイ装置。
【請求項８】
前記表示ユニットは、
それぞれ前記センサーに対応して設置され、それぞれは前記監視メッセージを形成するように、前記第２信号における対応する一方に基づいて発光することに用いられる複数のパイロットランプを含む請求項７に記載のゲートウェイ装置。
【請求項９】
第１無線伝送の形態によって複数のセンサーがトリガーされる時に生成した複数の第１信号を受信する工程と、
前記第１信号及び前記センサーに関連する配置データに基づいて複数の第２信号を生成する工程と、
前記センサーの状態を集中監視するために、前記第２信号をセキュリティホストに伝送する工程と、
を備えるセキュリティ監視方法。
【請求項１０】
第２無線伝送の形態によってモバイルデバイスからの制御信号を受信する工程と、
前記制御信号に基づいて前記配置データを設定する工程と、
を備える請求項９に記載のセキュリティ監視方法。
【発明の詳細な説明】
【技術分野】
【０００１】
本発明は、ゲートウェイ装置に関し、特に、セキュリティゲートウェイ装置に関する。
【背景技術】
【０００２】
現代社会では、泥棒が盛んであり、公共のセキュリティが悪化している。ホーム安全を確保するために、人々は、日増しにホームセキュリティシステムに依頼するようになる。
【発明の概要】
【発明が解決しようとする課題】
【０００３】
従来のセキュリティシステムは、実回線によってアラームと中央ホストとが接続される。有線伝送によるセキュリティシステムは、あまりデータ伝送を欠落させないが、配線上で数多くの妨害がある。例えば、新しい居住者が住む度に或いは新しいアクセスリードがセキュリティシステムに加えられる場合、回線を改めて引き且つ接続を設定する必要があるので、大きな人力及び線材コストを消耗してしまう。
【０００４】
このため、如何にセキュリティ範囲を効果的に拡大すると共に、人力及び配線のコストを節約するかは、現在のセキュリティシステムの一つの課題になる。
【課題を解決するための手段】
【０００５】
上記の問題を解決するために、本発明の一態様は、複数のセンサーに結合され、第１無線伝送の形態によって前記センサーがトリガーされる時に生成した複数の第１信号を受信する第１通信ユニットと、第１通信ユニットに結合され、且つ前記第１信号及び前記センサーを配置するための前記センサーに関連する配置データに基づいて複数の第２信号を生成する制御ユニットと、制御ユニット及びセキュリティホストに結合される第２通信ユニットと、を備え、前記センサーの状態を集中監視するために、制御ユニットは、第２通信ユニットにより前記第２信号をセキュリティホストに送信するゲートウェイ装置を提供する。
【０００６】
一実施例において、第１無線伝送の形態は、Ｚｉｇｂｅｅ通信プロトコルを含む。
【０００７】
一実施例において、配置データは、前記複数のセンサーが設置された複数の領域を反映するための第１情報、又は前記複数のセンサーの複数の種類を反映するための第２情報を含む。
【０００８】
一実施例において、第１通信ユニットは、更に、制御信号を受信するために、第２無線伝送の形態によってモバイルデバイスに結合されることに用いられ、且つ制御ユニットは、更に、制御信号に基づいて配置データを設定することに用いられる。
【０００９】
一実施例において、第２無線伝送の形態は、Ｗｉ−Ｆｉ通信プロトコルである。
【００１０】
一実施例において、第２通信ユニットは、有線伝送の形態によってセキュリティホストに接続される。
【００１１】
一実施例において、前記ゲートウェイ装置は、制御ユニットに結合され、且つ前記複数のセンサーの状態を監視するために、前記複数の第２信号に基づいて監視メッセージを表示するための表示ユニットを更に備える。
【００１２】
一実施例において、表示ユニットは、それぞれ前記複数のセンサーに対応して設置され、それぞれは監視メッセージを形成するように、前記複数の第２信号における対応する一方に基づいて発光することに用いられる複数のパイロットランプを含む。
【００１３】
本発明の他の態様は、第１無線伝送の形態によって複数のセンサーがトリガーされる時に生成した複数の第１信号を受信する工程と、前記第１信号及び前記センサーに関連する配置データに基づいて複数の第２信号を生成する工程と、前記第２信号をセキュリティホストに伝送する工程と、を備えるセキュリティ監視方法を提供する。
【００１４】
一実施例において、前記セキュリティ監視方法は、第２無線伝送の形態によってモバイルデバイスからの制御信号を受信する工程と、制御信号に基づいて配置データを設定する工程と、を備える。
【図面の簡単な説明】
【００１５】
添付図面に合わせて読む場合、以下の詳細的な説明から、本開示書類の態様をよりよく理解される。注意すべきなのは、工業における標準的な実務に基づいて、各特徴は比例で描画しない。実質的に、明確に説明するために、各特徴のサイズを任意に増加又は減少することができる。
【図１】本発明のある実施例によるゲートウェイ装置を示す機能ブロック模式図である。
【図２】本発明のある実施例による図１に示すゲートウェイ装置を使用するセキュリティシステムを示す模式図である。
【図３】本発明のある実施例によるゲートウェイ装置の取り付け設定方法を示す流れ図である。
【図４】本発明のある実施例によるゲートウェイ装置の操作方法を示す流れ図である。
【発明を実施するための形態】
【００１６】
本文では、様々な素子、モジュール、領域、層及び／又はブロックを説明するために、第１、第２及び第３等の語彙を使用することは、理解するべきである。しかし、これらの素子、モジュール、領域、層及び／又はブロックは、これらの用語に制限されるべきではない。これらの語彙は、単一の素子、モジュール、領域、層及び／又はブロックを区別するためのものに限られる。このため、下記の第１素子、モジュール、領域、層及び／又はブロックは、本発明の主旨から逸脱せずに、第２素子、モジュール、領域、層及び／又はブロックとも呼ばれる。
【００１７】
本文では、文脈が冠詞に対して特別に限定しない限り、「一」及び「当該」は、一般的に単一又は複数を指す。更に理解すべきなのは、本文に用いる「備える」、「含む」、「有する」及び類似な語彙は、記載される特徴、領域、整数、工程、操作、素子及び／又はモジュールを明示するが、その記述又は追加された１つ又は複数の他の特徴、領域、整数、工程、操作、素子、モジュール、及び／又はそれらの群を排除しない。
【００１８】
本文では、「結合」は「電気的結合」と見なされ、「接続」は「電気的接続」と見なされてよい。「結合」と「接続」は、２つ以上の素子同士の間の操作や相互連動と見なされてもよい。
【００１９】
図１を参照されたい。図１は、本発明のある実施例によるゲートウェイ装置１００を示す模式図である。ある実施例において、従来のセキュリティシステムでの監視可能範囲を拡張するために、ゲートウェイ装置１００は、セキュリティボックス１１０及びセンサーグループ１２０に対応して配置されることができる。
【００２０】
ゲートウェイ装置１００は、制御ユニット１０２と、第１通信ユニット１０４と、第２通信ユニット１０６と、表示ユニット１０８と、を備える。制御ユニット１０２は、第１通信ユニット１０４、第２通信ユニット１０６及び表示ユニット１０８に結合される。ある実施例において、制御ユニット１０２は、システムシングルチップにより達成される。制御ユニット１０２を適切に達成させる他の各種のハードウェアとソフトウェア素子は、何れも本発明に含まれる範囲にある。
【００２１】
第１通信ユニット１０４は、センサーグループ１２０の生成する複数の第１信号を受信するために、第１無線伝送の形態によってセンサーグループ１２０に接続される。第１通信ユニット１０４は、更に、センサーグループ１２０に関連する配置データを受信するために、第２無線伝送の形態によってモバイルデバイス１３０に接続される。
【００２２】
例えば、一実施例において、第１通信ユニット１０４は、Ｚｉｇｂｅｅ通信ユニット１０４Ａ及びＷｉ−Ｆｉ通信ユニット１０４Ｂを含む。Ｚｉｇｂｅｅ通信ユニット１０４Ａは、Ｚｉｇｂｅｅ通信プロトコル（即ち、前記第１無線伝送の形態）でセンサーグループ１２０に結合される。ある実施例において、Ｚｉｇｂｅｅ通信プロトコルの通信特性は、室内のセキュリティシステムに好適に使用される。ある実施例において、Ｚｉｇｂｅｅ通信ユニット１０４Ａは、Ｚｉｇｂｅｅモジュール、Ｚｉｇｂｅｅアンテナ、ステータスライト及びネットワークキー（ｊｏｉｎ  ｋｅｙ）等の素子によって達成される。
【００２３】
Ｗｉ−Ｆｉ通信ユニット１０４Ｂは、Ｗｉ−Ｆｉ通信プロトコル（即ち、前記第２無線伝送の形態）でモバイルデバイス１３０に結合される。ある実施例において、Ｗｉ−Ｆｉ通信プロトコルは、モバイルデバイスによく使用される通信プロトコルである。このため、Ｗｉ−Ｆｉ通信ユニット１０４Ｂを設置することで、殆どのモバイルデバイス１３０に効果的に連結されることができる。ある実施例において、Ｗｉ−Ｆｉ通信ユニット１０４Ｂは、Ｗｉ−Ｆｉモジュール、Ｗｉ−Ｆｉアンテナ及びアンテナコネクタ等の素子によって達成される。
【００２４】
上記実施例では、Ｚｉｇｂｅｅ通信プロトコル及びＷｉ−Ｆｉ通信プロトコルのみを例として説明する。様々な好適な無線伝送の形態は、何れも本発明に含まれる内容である。
【００２５】
第２通信ユニット１０６は、有線通信ユニットであり、且つ実回線を介してセキュリティボックス１１０に接続されるように設けられる。第２通信ユニット１０６は、接続インターフェースであってよい。例えば、第２通信ユニット１０６は、複数の汎用型の入力出力（ＧＰＩＯ）ピン（図示せず）である。ゲートウェイ装置１００は、これらのピンと実回線を介してセキュリティボックス１１０に接続されてよい。
【００２６】
表示ユニット１０８は、制御ユニット１０２により制御されて、使用者がセンサーグループ１２０の状態を監視するように、センサーグループ１２０の状態に応じて対応する監視メッセージを表示する。ある実施例において、表示ユニット１０８は、複数のパイロットランプＤ１〜Ｄ４により構成されてよい。ある実施例において、複数のパイロットランプＤ１〜Ｄ４は、それぞれセンサーグループ１２０における対応する１つのセンサ組に対応する。例えば、制御ユニット１０２は、第２信号に基づいて表示ユニット１０８に含まれる複数のパイロットランプＤ１〜Ｄ４の対応するパイロットランプの発光を駆動する。例えば、パイロットランプＤ１は、後述の図２におけるセンサ組１２１に対応する。センサ組１２１がトリガーされると、制御ユニット１０２は、対応する第２信号に基づいてパイロットランプＤ１を発光させるように駆動する。ある実施例において、複数のパイロットランプＤ１〜Ｄ４は、ＬＥＤ等の素子によって達成される。
【００２７】
一実施例において、モバイルデバイス１３０は、一般家庭、セキュリティ者又はシステム取り付け者により操作される。モバイルデバイス１００は、Ｗｉ−Ｆｉ通信ユニット１０４Ｂを介して、データ又は制御信号を制御ユニット１０２に送信することができる。制御ユニット１０２は、上記データ又は制御信号に基づいてゲートウェイ装置１００の設定コンフィギュレーションを配置することができる。例えば、ある実施例において、モバイルデバイス１３０は、複数の閾値を設定するために、制御信号を制御ユニット１０２に送信する。センサーグループ１２０は、トリガーされると、複数の第１信号を生成する。複数の第１信号は、Ｚｉｇｂｅｅ通信ユニット１０４Ａを介して制御ユニット１０２に伝送される。複数の第１信号が閾値以上になる場合、制御ユニット１０２は、対応する複数の第２信号を生成する。制御ユニット１０２は、センサーグループ１２０の状態を集中監視するために、第２通信ユニット１０６を介して複数の第２信号をセキュリティボックス１１０に伝送する。その同時に、対応する監視メッセージを表示するために、制御ユニット１０２は、複数の第２信号に基づいて表示ユニット１０８を駆動する。
【００２８】
例として、センサーグループ１２０は、アクセスリードを含む。このアクセスリードに対して対応する閾値（例えば、ドアが開けられるギャップ：３０センチメートル）を設置するために、モバイルデバイス１３０は、制御信号を制御ユニット１０８に伝送することができる。このアクセスリードは、トリガー（例えば、泥棒が室内に押し入る）される場合、Ｚｉｇｂｅｅ通信ユニット１０４Ａを介して第１信号（即ち、ドアが開けられるギャップの大きさを反映するもの）を制御ユニット１０２に伝送する。続いて、制御ユニット１０２は、第１信号と予め設定された閾値とを比較する。第１信号（例えば、５０センチメートル）が閾値以上になる場合、制御ユニット１０２は、第２通信ユニット１０６を介して第２信号をセキュリティボックス１１０に伝送する。この条件で、誰かが室内に押し入ることが監視されることを表す。逆に、第１信号（例えば、１０センチメートル）が閾値より小さい場合、制御ユニット１０２は、如何なる動作もしない。この条件で、〜を表すことができる。その同時に、制御ユニット１０２は、この第２信号に基づいて表示ユニット１０８を制御して、対応する監視メッセージを示し室内の居住者を警告する。セキュリティホストは、セキュリティボックス１１０を介して第２信号を受信し、セキュリティ業者又は関連者が協力できるようにすることができる。
【００２９】
別の実施例において、モバイルデバイス１３０は、Ｗｉ−Ｆｉ通信ユニット１０４Ｂを介して制御ユニット１０２に接続されて、制御ユニット１０２によって配置データに基づいてセンサーグループ１２０を配置する。一実施例において、モバイルデバイス１３０は、Ｗｉ−Ｆｉ通信ユニット１０４Ｂを介して配置データを制御ユニット１０２に送信して、ゲートウェイ装置１００の設定コンフィギュレーションを配置することができる。ある実施例において、配置データは、センサーグループ１２０が設置した複数の領域を反映するための第１情報、又はセンサーグループ１２０の複数の類別を反映するための第２情報を含む。センサーグループ１２０を配置するための他の配置データは、何れも本発明の保護する範囲に含まれる。
【００３０】
図２を参照されたい。図２は、本発明のある実施例による図１に示すゲートウェイ装置１００を使用するセキュリティシステム２００を示す模式図である。セキュリティシステム２００は、ゲートウェイ装置１００と、セキュリティボックス１１０と、センサーグループ１２０と、モバイルデバイス１３０と、電源１４０と、セキュリティホスト１５０と、を備える。この実施例において、センサーグループ１２０は、センサ組１２１、センサ組１２２、センサ組１２３及びセンサ組１２４の４組を含み、複数のセンサ組１２１〜１２４の各々は複数のセンサーを含む。例えば、複数のセンサ組１２１〜１２４の各々は煙感知センサー、ドアや窓リード、アラーム、動的センサー、電源スイッチを含むが、これらに制限されない。各種のセンサーは、何れも本発明の保護する範囲に含まれる。図２は、４組のセンサ組１２１〜１２４のみを例として説明する。如何なる数のセンサ組は、何れも本発明の保護する範囲に含まれる。
【００３１】
一実施例において、制御ユニット１０２は、第１情報に基づいてセンサーグループ１２０を配置して、同じ領域に置かれる１つ又は複数のセンサーを同一のセンサ組に分ける。例えば、センサ組１２１は客間内の全てのセンサーを含み、センサ組１２２はキッチン内の全てのセンサーを含み、センサ組１２３は主寝室内の全てのセンサーを含み、センサ組１２４はベビールーム内の全てのセンサーを含む。上記のように配置することで、センサ組１２１〜１２４における対応する一組の状態から、状況が発生する領域を知ることができる。例えば、センサ組１２１がトリガーされると、客間に状況が発生したことを知ることができる。また、センサ組１２１がアクセスリードのみを含まないと、誰かが客間に押し入ったことを推定することができる。別の例において、センサ組１２１、センサ組１２４が次々にトリガーされる場合、侵入者の動きは客間から入り且つ現在でベビールームにいることを推測することができる。上記情報により、警察の布陣攻撃に寄与し、又は室内のメンバーの安全（例えば、センサ組１２１のみがトリガーされて長時間に後続の動作がない場合、侵入者が去った可能性があり、室内のメンバーは一時的に安全問題がない）を分かることができる。
【００３２】
別の実施例において、制御ユニット１０２は、第２情報に基づいてセンサーグループ１２０を配置して、同じ種類のセンサーを同一のセンサ組に分ける。例として、センサ組１２１は部屋内の全ての煙探知器を含み、センサ組１２２は部屋内の全てのドアや窓リードを含み、センサ組１２３は部屋内の全てのアラームを含み、センサ組１２４は部屋内の全ての電源スイッチを含む。上記のように配置することで、センサ組１２１〜１２４における対応する一組の状態からどのような状況が発生したことを知ることができる。例えば、センサ組１２１がトリガーされると、部屋内で大量の濃煙を生成したことが分かり、更に、部屋内部で火災が発生したことを推定し、且つ消防士に救助を馳せつけさせるように通知することができる。
【００３３】
ある実施例において、ゲートウェイ装置１００の電気エネルギーは、従来のセキュリティシステム内の電源回路によって供給されてよい。例えば、図２に示すように、ゲートウェイ装置１００は、電気エネルギーを受けるために、電源１４０に結合される。この例において、電源１４０は、同時にゲートウェイ装置１００及びセキュリティホスト１５０に給電する。
【００３４】
ある実施例において、ゲートウェイ装置１００とセキュリティボックス１１０との間の実回線の数は、センサーグループ１２０に含まれたセンサ組の数によって決められる。図２に示すように、センサーグループ１２０は、４組のセンサ組１２１〜１２４を含む。このため、それぞれ４本の実回線を介してセキュリティボックス１１０の４つのポートｐｏｒｔ１〜ｐｏｒｔ４に接続されるように、ゲートウェイ装置１００に、少なくとも、４つのポート（ｐｏｒｔ）が設けられる。この実施例において、４つのポートｐｏｒｔ１〜ｐｏｒｔ４は、それぞれ常時閉（Ｎｏｒｍａｌｌｙ  ｃｌｏｓｅｄ；ＮＣ）モード又は常時開（Ｎｏｒｍａｌｌｙ  ｏｐｅｎ；ＮＯ）モードである。一実施例において、第１ポート、第２ポート、第３ポートは、常時閉モードに予め設定されるが、誤警告の発生を防止するために、第４ポートは、セキュリティボックス１１０の最初の設置に応じて常時閉モード又は常時開モードに選択的に調整されてよい。簡単に、セキュリティボックス１１０の第４ポートが常時開にプリセットされ、ゲートウェイ装置１００の第４ピンが常時閉に設置されると、第４ポートに対応するセンサ組は、何れの危険も検出されない時に間違った警告を出して関連者に通知する可能性がある。逆に、第４ポートに対応するセンサ組は、危険を検出した場合、警告を出して関連者に通知しない。
【００３５】
図３を参照されたい。図３は、本発明のある実施例によるゲートウェイ装置１００の設定方法３００を示す流れ図である。図３に示すように、まず、ゲートウェイ装置１００とセキュリティボックス１１０とを接続するように設置する工程Ｓ３１０を実行する。この工程において、ゲートウェイ装置１００により検出された結果が信号を欠落せずにセキュリティボックス１１０に伝送されるように、ゲートウェイ装置１００における複数のポートは、実回線を介してセキュリティボックス１１０の対応するポートに接続される。セキュリティボックス１１０は、更に、受信した信号をセキュリティホスト１５０に伝送して、関連者に通知する。
【００３６】
続いて、ゲートウェイ装置１００とモバイルデバイス１３０とを接続する工程Ｓ３２０を実行する。この工程において、セキュリティ業者は、モバイルデバイス１３０にセンサーグループ１２０を配置しやすくする設定ソフトウェアをインストールする。次に、モバイルデバイス１３０は、設定ソフトウェアの実行によって、且つ第２無線伝送の形態によってゲートウェイ装置１００に接続される。この実施例において、第２無線伝送の形態は、Ｗｉ−Ｆｉであるが、これに制限されなく、如何なる他の無線伝送の形態も本発明の保護する範囲に含まれる。
【００３７】
次に、モバイルデバイス１３０によってゲートウェイ装置１００をセンサーグループ１２０に接続する工程Ｓ３３０を実行する。一実施例において、モバイルデバイス１３０は、センサーグループ１２０の配置データ及び制御信号をゲートウェイ装置１００に伝送する。制御ユニット１０２は、この制御信号及び配置データに基づいてゲートウェイ装置１００とセンサーグループ１２０との間の接続線を設定する。ある実施例において、接続線の設定方法としては、ゲートウェイ装置１００のポートを第１無線伝送の形態によってセンサーグループ１２０における対応するセンサ組に接続するものである。例えば、前記のように、センサ組１２１は、客間内の全てのセンサーを含む。配置データによって、制御ユニット１０２は、センサ組１２１をゲートウェイ装置１００の複数のポートにおける第１ポートに対応することができる。これによって類推し、ゲートウェイ装置１００の複数のポートの各々とセンサーグループ１２０におけるセンサ組との対応関係は、対応的に配置されることができる。この実施例において、第１無線伝送の形態は、Ｚｉｇｂｅｅであるが、これに制限されなく、如何なる他の無線伝送の形態も本発明の保護する範囲に含まれる。
【００３８】
図４を参照されたい。図４は、本発明のある実施例によるゲートウェイ装置１００の操作方法４００を示す流れ図である。図４に示すように、まず、第１無線伝送の形態によって複数のセンサーがトリガーされる時に生成した複数の第１信号を受信する工程Ｓ４１０を実行する。この工程において、複数のセンサーがトリガーされて複数の第１信号を生成させ、複数の第１信号がＷｉ−Ｆｉ通信ユニット１０４Ｂによって制御ユニット１０２に伝送される。
【００３９】
次に、複数の第１信号及び配置データに基づいて複数の第２信号を生成させる工程Ｓ４２０を実行する。この工程において、制御ユニット１０２は、工程Ｓ４１０で生成した複数の第１信号及びセンサーグループ１２０の配置データ（即ち、第１情報又は第２情報）に基づいて第２信号を生成する。
【００４０】
次に、複数の第２信号をセキュリティボックス１１０に伝送する工程Ｓ４３０を実行する。この工程において、工程Ｓ４２０で生成した第２信号を実回線によってセキュリティボックス１１０に伝送する。続いて、セキュリティボックス１１０は、この信号をセキュリティホスト１５０に伝送して関連者に通知する。この実施例において、ゲートウェイ装置１００とセキュリティボックス１１０との間の接続線は、実回線であるが、これに制限されなく、如何なる通信方式も本発明の保護する範囲に含まれる。
【００４１】
以上のように、本発明によるゲートウェイ装置は、無線伝送の形態で室内の複数のセンサーに接続され、且つ従来のセキュリティボックスに実回線で連結されることができる。このように、ゲートウェイ装置は、複数のセンサー及びセキュリティボックスをブリッジングして、センサーの状態をセキュリティホストに伝送するようにすることができる。無線伝送の形態によって、室内の複雑な配線及び関連費用を節約することができる。一方、有線接続の形態によって、ゲートウェイ装置と従来のセキュリティボックスとの間の信号伝送品質を確保することができる。
【００４２】
本発明は実施形態を前述の通りに開示したが、これは、本発明を限定するものではなく、当業者なら誰でも、本発明の精神と領域から逸脱しない限り、多様の変更や修正を加えることができる。従って、本発明の保護範囲は、後の特許請求の範囲で指定した内容を基準とする。
【符号の説明】
【００４３】
１００  ゲートウェイ装置
１０２  制御ユニット
１０４  第１通信ユニット
１０４Ａ  Ｚｉｇｂｅｅ通信ユニット
１０４Ｂ  Ｗｉ−Ｆｉ通信ユニット
１０６  第２通信ユニット
１０８  表示ユニット
１１０  セキュリティボックス
１２０  センサーグループ
１２１、１２２、１２３、１２４  センサ組
１３０  モバイルデバイス
１４０  電源
１５０  セキュリティホスト
Ｄ１、Ｄ２、Ｄ３、Ｄ４  パイロットランプ
２００  セキュリティシステム
ｐｏｒｔ１、ｐｏｒｔ２、ｐｏｒｔ３、ｐｏｒｔ４  ポート
３００、４００  方法
Ｓ３１０、Ｓ３２０、Ｓ３３０、Ｓ４１０、Ｓ４２０、Ｓ４３０  工程
【図１】
2018207465.tif 000003
【図２】
2018207465.tif 000004
【図３】
2018207465.tif 000005
【図４】
2018207465.tif 000006